(57)【要約】【課題】記憶部を備え近距離無線通信が可能な携帯端末を利用して設定を行うプリンターを提供すること。【解決手段】プリンター３はＮＦＣ通信端末７との間で通信を行う無線通信部２３、プリンター設定情報を記憶保持する設定情報記憶部２７、ＮＦＣ通信端末７との間で通信可能となったときにプリンター設定情報をＮＦＣ通信端末７に送信して端末記憶部１３に記憶保持させる情報送信動作を行う情報送信部３６、ＮＦＣ通信端末７との間で通信可能となったときにＮＦＣ通信端末７の端末記憶部１３に記憶保持されたプリンター設定情報を読み取って設定情報記憶部２７に記憶保持する情報取得設定動作を行う情報取得設定部３７を備える。ＮＦＣ通信端末７を媒介とすることにより、特定のプリンター３のプリンター設定情報を他のプリンター３にコピーして設定に反映させることができる。【選択図】図２
2017061042.tif 000002
【特許請求の範囲】
【請求項１】
記憶部を備える携帯端末との間で近距離無線通信を行う通信部と、
制御部と、を備え、
前記制御部は、
プリンター設定情報を記憶保持する設定情報記憶部と、
前記携帯端末との間で通信可能となったときにプリンター設定情報を前記携帯端末に送信して前記記憶部に記憶保持させる情報送信動作を行う情報送信部と、
前記携帯端末との間で通信可能となったときに前記携帯端末の前記記憶部に記憶保持されたプリンター設定情報を読み取って前記設定情報記憶部に記憶保持する情報取得設定動作を行う情報取得設定部と、
前記情報送信動作を行う情報送信動作モードと情報取得設定動作を行う情報取得設定動作モードとの間で動作モードを切り替える動作モード切り替え部と、を有することを特徴とするプリンター。
【請求項２】
請求項１において、
前記制御部は、プリンター設定情報に基づいて印刷データを印刷する印刷処理動作を行う印刷制御部を有し、
前記動作モード切り替え部は、前記携帯端末との間で通信が可能となると、前記印刷処理動作を行う印刷処理動作モードから、前記動作モードを前記情報送信動作モードまたは情報取得設定動作モードに切り替えることを特徴とするプリンター。
【請求項３】
請求項２において、
前記動作モード切り替え部は、前記携帯端末との間で通信可能となったときに移行する動作モードを前記情報送信動作モードおよび前記情報取得設定動作モードの一方に設定する移行動作モード設定部を備えることを特徴とするプリンター。
【請求項４】
請求項１において、
操作部を有し、
動作モード切り替え部は、前記操作部が操作されると動作モードを前記情報送信動作モードに切り替えることを特徴とするプリンター。
【請求項５】
請求項１ないし４のうちのいずれかの項において、
前記プリンター設定情報は、外部の機器との間で通信を行う場合の通信設定情報を含むことを特徴とするプリンター。
【請求項６】
記憶部を備え近距離無線通信が可能な携帯端末と、
プリンターと、を有し、
前記プリンターは、前記携帯端末との間で近距離無線通信を行う通信部と、制御部とを備え、前記制御部はプリンター設定情報を記憶保持する設定情報記憶部、プリンター設定情報に基づいて印刷データを印刷する印刷処理動作を行う印刷制御部、前記携帯端末との間で通信可能となったときにプリンター設定情報を前記携帯端末に送信して前記記憶部に記憶保持させる情報送信動作を行う情報送信部、前記携帯端末との間で通信可能となったときに前記携帯端末の前記記憶部に記憶保持されたプリンター設定情報を読み取って前記設定情報記憶部に記憶保持する情報取得設定動作を行う情報取得設定部、および、前記情報送信動作を行う情報送信動作モードと情報取得設定動作を行う情報取得設定動作モードとの間で動作モードを切り替える動作モード切り替え部を有することを特徴とするプリンターシステム。
【請求項７】
請求項６において、
前記携帯端末は、ＮＦＣによる通信が可能であり、
前記プリンターは、ＮＦＣにより前記携帯端末との間で通信を行うことを特徴とするプリンターシステム。
【請求項８】
記憶部を備え近距離無線通信が可能な携帯端末と、
第１プリンターと、
第２プリンターと、を有し、
前記第１プリンターは、前記携帯端末との間で近距離無線通信を行う第１通信部、プリンター設定情報を記憶保持する第１設定情報記憶部、プリンター設定情報に基づいて印刷データを印刷する印刷処理動作を行う第１印刷制御部、および、前記携帯端末との間で通信可能となったときにプリンター設定情報を前記携帯端末に送信して前記記憶部に記憶保持させる情報送信動作を行う情報送信部、を備え、
前記第２プリンターは、前記携帯端末との間で通信を行う無線通信部、プリンター設定情報を記憶保持する第２設定情報記憶部、プリンター設定情報に基づいて印刷データを印刷する印刷処理動作を行う第２印刷制御部、および、前記携帯端末との間で通信可能となったときに前記携帯端末の前記記憶部に記憶保持されたプリンター設定情報を読み取って前記第２設定情報記憶部に記憶保持する情報取得設定動作を行う情報取得設定部、を備えることを特徴とするプリンターシステム。
【請求項９】
記憶部を備え近距離無線通信が可能な携帯端末との間で近距離無線通信を行い、プリンター設定情報が記憶されるプリンターの設定方法であって、
前記携帯端末と通信可能となったとき、前記プリンター設定情報に基づいて印刷データを印刷する印刷処理動作を行う印刷処理動作モードから、情報送信動作モード、もしくは情報取得設定動作モードに切り替える動作モード切り替えステップを実行し、
前記動作モード切り替えステップにおいて、前記情報送信動作モードに切り替えられる場合に、前記携帯端末に前記プリンター設定情報を送信するステップを実行し、
前記動作モード切り替えステップにおいて、前記情報取得設定モードに切り替えられる場合に、前記携帯端末の前記記憶部に記憶保持された前記プリンター設定情報を読み取って、前記設定情報記憶部に記憶保持するステップを実行する、ことを特徴とするプリンターの設定方法。
【請求項１０】
請求項９において、
前記動作モード切り替えステップにおいて移行する動作モードを、前記情報送信動作モードおよび前記情報取得設定動作モードの一方に設定するステップを実行することを特徴とするプリンターの設定方法。
【請求項１１】
記憶部を備え近距離無線通信が可能な携帯端末との間で近距離無線通信を行い、プリンター設定情報が記憶され、操作部を備えるプリンターの設定方法であって、
操作部による操作を受け付けるステップと、
前記操作部による所定の操作が実行された場合には、前記携帯端末と通信可能となったとき、前記プリンター設定情報に基づいて印刷データを印刷する印刷処理動作を行う印刷処理動作モードから、情報送信動作モードに切り替えるステップと、
前記携帯端末に前記プリンター設定情報を送信するステップと、を実行し、
前記操作部による所定の操作が実行されない場合には、前記携帯端末と通信可能となったとき、前記プリンター設定情報に基づいて印刷データを印刷する印刷処理動作を行う印刷処理動作モードから、情報取得設定動作モードに切り替えるステップと、
前記携帯端末の前記記憶部に記憶保持された前記プリンター設定情報を読み取って、前記設定情報記憶部に記憶保持するステップと、を実行することを特徴とするプリンターの設定方法。
【発明の詳細な説明】
【技術分野】
【０００１】
本発明は、近距離無線通信が可能なプリンターに関する。また、このようなプリンターと近距離無線通信が可能な携帯端末とからなるプリンターセットおよび印刷システム、並びに、近距離無線通信が可能な携帯端末を利用してプリンターを設定する設定方法に関する。
【背景技術】
【０００２】
プリンターを駆動制御するプリンタードライバーを近距離無線通信が可能な携帯端末を用いて設定する技術は特許文献１に開示されている。同文献では、プリンタードライバーが動作するホスト装置とプリンターとはネットワークを介して接続されている。プリンタードライバーを設定する際には、まず、プリンターに携帯端末を接近させる。これによりプリンターと携帯端末との間で近距離無線通信が可能となると、プリンターは自己の機種名を携帯端末に送信する。携帯端末は、送信された機種名を受信して、それを自己の記憶部に記憶保持する。次に、携帯端末をホスト装置に接近させる。これによりホスト装置と携帯端末との間で近距離無線通信が可能となると、携帯端末からホスト装置に機種名が送信される。ホスト装置は、機種名を受信すると、当該機種名に基づいてプリンタードライバーを設定する。
【先行技術文献】
【特許文献】
【０００３】
【特許文献１】特開２００２−２６９０２２号公報
【発明の概要】
【発明が解決しようとする課題】
【０００４】
複数の会計カウンターを備える店舗では、各会計カウンターにレシートを発行するためのプリンターが設置される。各会計カウンターには同一のプリンターが配置され、各プリンターには同一のプリンター設定が施される。
【０００５】
ここで、特許文献１に記載されているように、記憶部を備え近距離無線通信が可能な携帯端末を利用すれば、一つの情報機器が保持する情報を、携帯端末を介して他の情報機器に受け渡すことができる。従って、複数台のプリンターに同一の設定を施す場合に、一台のプリンターの設定を行い、このプリンターのプリンター設定情報を、携帯端末を媒介として、各プリンターに受け渡すことができれば、複数台のプリンターの設定作業を軽減することができる。
【０００６】
本発明の課題は、かかる点に鑑みて、近距離無線通信が可能な携帯端末を利用して設定を行うプリンターを提供することにある。また、このようなプリンターと携帯端末を有するプリンターセットおよび印刷システムを提供することにある。さらに、近距離無線通信が可能な携帯端末を利用したプリンターの設定方法を提案することにある。
【課題を解決するための手段】
【０００７】
上記の課題を解決するために、本発明のプリンターは、記憶部を備える携帯端末との間で近距離無線通信を行う通信部と、制御部と、を備え、前記制御部は、プリンター設定情報を記憶保持する設定情報記憶部と、前記携帯端末との間で通信可能となったときにプリンター設定情報を前記携帯端末に送信して前記記憶部に記憶保持させる情報送信動作を行う情報送信部と、前記携帯端末との間で通信可能となったときに前記携帯端末の前記記憶部に記憶保持されたプリンター設定情報を読み取って前記設定情報記憶部に記憶保持する情報取得設定動作を行う情報取得設定部と、前記情報送信動作を行う情報送信動作モードと情報取得設定動作を行う情報取得設定動作モードとの間で動作モードを切り替える動作モード切り替え部と、を有することを特徴とする。
【０００８】
本発明では、プリンターは、制御部に、携帯端末の記憶部にプリンター設定情報を書き出す情報送信部と、携帯端末の記憶部からプリンター設定情報を取得して設定情報記憶部に書き込む情報取得設定部を備える。従って、複数台のプリンターに同一の設定を施す場合には、任意に選択した一つのプリンター(特定のプリンター）のプリンター設定情報を、携帯端末を媒介として他のプリンターに取得させて、当該他のプリンターを設定できる。すなわち、複数台のプリンターに同一の設定を施す場合には、まず、特定のプリンターに設定を施して、そのプリンターの設定情報記憶部にプリンター設定情報を記憶保持させる。次に、特定のプリンターを情報送信動作モードとするとともに、携帯端末を特定のプリンターに接近させることにより携帯端末と特定のプリンターとの間の通信を可能にして、プリンター設定情報を携帯端末の記憶部に記憶保持させる。その後、他のプリンターを情報取得設定動作モードとするとともに、携帯端末を他のプリンターに接近させて、携帯端末と他のプリンターとの間の通信を可能とする。これにより、他のプリンターは携帯端末の記憶部に記憶保持されたプリンター設定情報を取得して、このプリンター設定情報を自己の設定とする。従って、複数台のプリンターに同一の設定を行う場合に、設定作業をプリンターの台数分繰り返す必要がない。よって、複数台のプリンターを同一に設定する設定作業が容易となる。
【０００９】
本発明において、前記制御部は、プリンター設定情報に基づいて印刷データを印刷する印刷処理動作を行う印刷制御部を有し、前記動作モード切り替え部は、前記携帯端末との間で通信が可能となると、前記印刷処理動作を行う印刷処理動作モードから、前記動作モードを前記情報送信動作モードまたは情報取得設定動作モードに切り替えるものとすることができる。このようにすれば、プリンターを設定する設定動作と印刷データを印刷する印刷処理動作とを排他的に行うことができる。従って、プリンターの設定を変更した後に、プリンターをリセットするなどして、設定変更をプリンターに反映できる。
【００１０】
本発明において、前記動作モード切り替え部は、前記携帯端末との間で通信可能となったときに移行する動作モードを前記情報送信動作モードおよび前記情報取得設定動作モードの一方に設定する移行動作モード設定部を備えることが望ましい。このようにすれば、特定のプリンターを、プリンター設定情報をコピーする元となる親プリンターに設定することができる。また、特定のプリンターを除く他のプリンターを、プリンター設定情報のコピー先となる子プリンターに設定することができる。
【００１１】
本発明において、操作部を有し、動作モード切り替え部は、前記操作部が操作されると動作モードを前記情報送信動作モードに切り替えるものとすることもできる。このようにすれば、プリンターに設定を施した後に操作部を操作してプリンターの動作モードを情報送信動作モードとして、その後に携帯端末をプリンターに近づけることにより、プリンターから携帯端末にプリンター設定情報を送信できる。
【００１２】
本発明において、前記プリンター設定情報は、外部の機器との間で通信を行う場合の通信設定情報を含むものとすることができる。例えば、プリンター設定情報には、プリンターとプリンターに印刷データを供給する情報機器との間の通信設定情報を含むものとすることができる。
【００１３】
次に、本発明のプリンターシステムは、記憶部を備え近距離無線通信が可能な携帯端末と、プリンターと、を有し、前記プリンターは、前記携帯端末との間で近距離無線通信を行う通信部と、制御部とを備え、前記制御部はプリンター設定情報を記憶保持する設定情報記憶部、プリンター設定情報に基づいて印刷データを印刷する印刷処理動作を行う印刷制御部、前記携帯端末との間で通信可能となったときにプリンター設定情報を前記携帯端末に送信して前記記憶部に記憶保持させる情報送信動作を行う情報送信部、前記携帯端末との間で通信可能となったときに前記携帯端末の前記記憶部に記憶保持されたプリンター設定情報を読み取って前記設定情報記憶部に記憶保持する情報取得設定動作を行う情報取得設定部、および、前記情報送信動作を行う情報送信動作モードと情報取得設定動作を行う情報取得設定動作モードとの間で動作モードを切り替える動作モード切り替え部を有することを特徴とする。
【００１４】
本発明によれば、携帯端末を媒介として、特定のプリンターから取得したプリンター設定情報を他のプリンターに取得させて他のプリンターの設定に反映させることができる。また、本発明によれば、プリンターの設定を一時的に変更して印刷処理動作を行った後に、元の設定に戻すことが容易となる。すなわち、プリンターの設定を一時的に変更して印刷処理動作を行う場合には、プリンターの設定を変更する前に、プリンターを情報送信動作モードとして、プリンターの設定情報記憶部に記憶保持されたプリンター設定情報を携帯端末の記憶部に書き出す。そして、変更した設定による印刷処理動作が終了した後に、プリンターを情報取得設定動作モードとし、しかる後に、携帯端末をプリンターに接近させて記憶部に記憶保持したプリンター設定情報をプリンターの設定情報記憶部に書き込む。これにより、プリンターの設定を元に戻すことができる。
【００１５】
本発明において、前記携帯端末は、ＮＦＣによる通信が可能であり、前記プリンターは、ＮＦＣにより前記携帯端末との間で通信を行うことが望ましい。ここで、近距離無線通信としては、Ｂｌｕｅｔｏｏｔｈ（登録商標）、ＩＥＥＥ８０２．１１、ＩｒＤＡ、ＮＦＣなどの通信規格のものがあるが、ＮＦＣ（Ｎｅａｒ  Ｆｉｅｌｄ  Ｃｏｍｍｕｎｉｃａｔｉｏｎ）とすれば、予め通信設定などを行うことなく、携帯端末とプリンターとの間で通信ができる。
【００１６】
次に、本発明のプリンターシステムは、記憶部を備え近距離無線通信が可能な携帯端末と、第１プリンターと、第２プリンターと、を有し、前記第１プリンターは、前記携帯端末との間で近距離無線通信を行う第１通信部、プリンター設定情報を記憶保持する第１設定情報記憶部、プリンター設定情報に基づいて印刷データを印刷する印刷処理動作を行う第１印刷制御部、および、前記携帯端末との間で通信可能となったときにプリンター設定情報を前記携帯端末に送信して前記記憶部に記憶保持させる情報送信動作を行う情報送信部、を備え、前記第２プリンターは、前記携帯端末との間で通信を行う無線通信部、プリンター設定情報を記憶保持する第２設定情報記憶部、プリンター設定情報に基づいて印刷データを印刷する印刷処理動作を行う第２印刷制御部、および、前記携帯端末との間で通信可能となったときに前記携帯端末の前記記憶部に記憶保持されたプリンター設定情報を読み取って前記第２設定情報記憶部に記憶保持する情報取得設定動作を行う情報取得設定部、を備えることを特徴とする。
【００１７】
本発明によれば、第１プリンターのプリンター設定情報を、携帯端末を媒介として第２プリンターに取得させて、第２プリンターを設定できる。すなわち、第１プリンターと第２プリンターに設定を施す場合には、まず、第１プリンターに設定を施して、そのプリンターの設定情報記憶部にプリンター設定情報を記憶保持させる。次に、携帯端末を第１プリンターに接近させることにより携帯端末と第１プリンターとの間の通信を可能にして、プリンター設定情報を携帯端末の記憶部に記憶保持させる。その後、携帯端末を第２プリンターに接近させて、携帯端末と第２プリンターとの間の通信を可能とする。これにより、第２プリンターは携帯端末の記憶部に記憶保持されたプリンター設定情報を取得して、このプリンター設定情報を自己の設定とする。従って、第１プリンターと第２プリンターに同一の設定を行う場合に、その設定作業が容易となる。
【００１８】
また、本発明は、記憶部を備え近距離無線通信が可能な携帯端末との間で近距離無線通信を行い、プリンター設定情報が記憶されるプリンターの設定方法であって、前記携帯端末と通信可能となったとき、前記プリンター設定情報に基づいて印刷データを印刷する印刷処理動作を行う印刷処理動作モードから、情報送信動作モード、もしくは情報取得設定動作モードに切り替える動作モード切り替えステップを実行し、前記動作モード切り替えステップにおいて、前記情報送信動作モードに切り替えられる場合に、前記携帯端末に前記プリンター設定情報を送信するステップを実行し、前記動作モード切り替えステップにおいて、前記情報取得設定モードに切り替えられる場合に、前記携帯端末の前記記憶部に記憶保持された前記プリンター設定情報を読み取って、前記設定情報記憶部に記憶保持するステップを実行する、ことを特徴とする。
【００１９】
本発明によれば、複数台のプリンターに同一の設定を施す場合には、任意に選択した一つのプリンター(特定のプリンター）のプリンター設定情報を、携帯端末を媒介として他のプリンターに取得させて、他のプリンターを設定できる。すなわち、複数台のプリンターに同一の設定を施す場合には、まず、特定のプリンターに設定を施して、そのプリンターの設定情報記憶部にプリンター設定情報を記憶保持させる。次に、特定のプリンターを情報送信動作モードとするとともに、携帯端末を特定のプリンターに接近させることにより携帯端末と特定のプリンターとの間の通信を可能にして、プリンター設定情報を携帯端末の記憶部に記憶保持させる。その後、他のプリンターを情報取得設定動作モードとするとともに、携帯端末を他のプリンターに接近させて、携帯端末と他のプリンターとの間の通信を可能とする。これにより、他のプリンターは携帯端末の記憶部に記憶保持されたプリンター設定情報を取得して、このプリンター設定情報を自己の設定とする。従って、複数台のプリンターに同一の設定を行う場合に、設定作業をプリンターの台数分繰り返す必要がない。よって、複数台のプリンターを同一に設定する設定作業が容易となる。
【００２０】
本発明において、前記動作モード切り替えステップにおいて移行する動作モードを、前記情報送信動作モードおよび前記情報取得設定動作モードの一方に設定するステップを実行することが望ましい。このようにすれば、特定のプリンターを、プリンター設定情報をコピーする元となる親プリンターに設定することができる。また、特定のプリンターを除く他のプリンターを、プリンター設定情報のコピー先となる子プリンターに設定することができる。
【００２１】
また、本発明の別の形態は、記憶部を備え近距離無線通信が可能な携帯端末との間で近距離無線通信を行い、プリンター設定情報が記憶され、操作部を備えるプリンターの設定方法であって、操作部による操作を受け付けるステップと、前記操作部による所定の操作が実行された場合には、前記携帯端末と通信可能となったとき、前記プリンター設定情報に基づいて印刷データを印刷する印刷処理動作を行う印刷処理動作モードから、情報送信動作モードに切り替えるステップと、前記携帯端末に前記プリンター設定情報を送信するステップと、を実行し、前記操作部による所定の操作が実行されない場合には、前記携帯端末と通信可能となったとき、前記プリンター設定情報に基づいて印刷データを印刷する印刷処理動作を行う印刷処理動作モードから、情報取得設定動作モードに切り替えるステップと、前記携帯端末の前記記憶部に記憶保持された前記プリンター設定情報を読み取って、前記設定情報記憶部に記憶保持するステップと、を実行することを特徴とする。
【００２２】
本発明によれば、特定のプリンターに設定を施した後に操作部を操作してプリンターの動作モードを情報送信動作モードとし、その後に携帯端末をプリンターに近づけることにより、プリンターから携帯端末にプリンター設定情報を送信できる。また、操作部を操作しなかった場合には、携帯端末との間で通信可能となったときにプリンターが情報取得設定動作を行うので、携帯端末の記憶部に保持されたプリンター設定情報をプリンターの設定に反映できる。
【図面の簡単な説明】
【００２３】
【図１】ＰＯＳシステムの概略システム構成図である。
【図２】プリンターの制御系のブロック図である。
【図３】プリンターの設定動作の説明図である。
【図４】変形例のプリンターの設定動作の説明図である。
【発明を実施するための形態】
【００２４】
以下に図面を参照しながら本発明の実施形態を説明する。
【００２５】
（ＰＯＳシステム）
図１は本発明のプリンターを備えるＰＯＳシステムの概略システム構成図である。図２はプリンターの制御系のブロック図である。ＰＯＳシステム(印刷システム）１は店舗に設置されて顧客の会計処理を行う。図１に示すように、ＰＯＳシステム１は、店舗に設けられた複数の会計カウンターのそれぞれに設置された複数台のＰＯＳ端末装置２と、各ＰＯＳ端末装置２に接続されて各会計カウンターに設置された複数台のプリンター３を備える。各ＰＯＳ端末装置２はネットワーク４により接続されている。各プリンター３は操作パネル（操作部）５を備える。プリンター３はＰＯＳ端末装置２からレシートデータ（印刷データ）の供給を受けてレシート６を発行する。また、ＰＯＳシステム１は、プリンター３を設定するためのＮＦＣ通信端末（携帯端末）７を備える。
【００２６】
（制御系）
図２はプリンター３およびＮＦＣ通信端末７の制御系の概略ブロック図である。図２に示すように、ＮＦＣ通信端末７は、ＣＰＵを備える端末制御部（制御部）１１と、端末制御部１１に接続された端末通信部１２と、端末制御部１１に接続された端末記憶部１３を備える。端末通信部１２は無線通信の国際規格であるＮＦＣにより通信を行う。端末記憶部１３はＮＶＲＡＭなどの不揮発性メモリーからなる。端末制御部１１は、端末通信部１２を介して情報を受信すると、受信した情報を端末記憶部１３に記憶保持する。また、端末制御部１１は、端末通信部１２を介して情報送信命令を受信すると、端末記憶部１３に記憶保持した情報を送信する。
【００２７】
プリンター３は、ＣＰＵを備える制御部２１を中心に構成されている。制御部２１の入力側には有線通信部２２と無線通信部（通信部）２３が接続されている。また、制御部２１の入力側には、操作パネル５が接続されている。制御部２１の出力側には、印刷ヘッド２５および搬送モーター２６が不図示のドライバーを介して接続されている。搬送モーター２６は、印刷ヘッド２５により印刷が施される印刷位置を経由する紙搬送路に沿ってレシート用紙を搬送する搬送機構の駆動源である。また、制御部２１には、ＮＶＲＡＭなどの不揮発性メモリーからなる設定情報記憶部２７が接続されている。設定情報記憶部２７には、プリンター設定情報が記憶保持される。
【００２８】
有線通信部２２はＰＯＳ端末装置２との間でケーブルを介したシリアル通信を行う。無線通信部２３は、ＮＦＣ通信端末７との間でＮＦＣによる通信を行う。
【００２９】
制御部２１は、レシートデータを印刷する印刷処理動作を司る印刷制御部３１と、プリンター３を設定する設定動作を司る設定制御部３２を有する。
【００３０】
印刷制御部３１は、有線通信部２２を介して制御部２１に供給されるレシートデータを印刷する。より具体的には、印刷制御部３１は、ＰＯＳ端末装置２から有線通信部２２を介して制御部２１にレシートデータが供給されると、設定情報記憶部２７に記憶保持されているプリンター設定情報に基づいて印刷ヘッド２５および搬送モーター２６を駆動して、印刷位置を搬送されるレシート用紙にレシートデータを印刷する。
【００３１】
設定制御部３２は、情報設定部３５、情報送信部３６、情報取得設定部３７、および、動作モード切り替え部３８を備える。
【００３２】
情報設定部３５は、操作パネル５を介して制御部２１に入力されるプリンター設定情報を、設定情報記憶部２７に記憶保持して、プリンター３を設定する。また、情報設定部３５は、プリンター３を設定するための設定ソフトウエアが動作するコンピューターから、有線通信部２２を介してプリンター設定情報が制御部２１に入力されると、このプリンター設定情報を設定情報記憶部２７に記憶保持して、プリンター３を設定する。なお、設定ソフトウエアが動作するコンピューターがＰＯＳ端末装置２に接続され、コンピューターからＰＯＳ端末装置２を介してプリンター３にプリンター設定情報が供給される場合がある。また、設定ソフトウエアが動作するコンピューターがプリンター３に直接接続され、コンピューターからプリンター３にプリンター設定情報が直接供給される場合がある。
【００３３】
本例では、情報設定部３５は、プリンター設定情報を設定情報記憶部２７に記憶保持した後に、プリンター３をリセットし、これにより、設定情報記憶部２７に記憶保持されたプリンター設定情報をプリンター３に反映させる。
【００３４】
ここで、プリンター設定情報には、印刷処理動作における印刷速度を設定する印刷速度情報が含まれる。また、プリンター設定情報には、印刷処理動作における印刷の濃度を設定する濃度設定情報が含まれる。さらに、プリンター設定情報には、レシートデータを印刷する印刷処理動作に際して、企業のロゴなどとして用いられる画像データの情報が含まれる。また、プリンター設定情報には、ＰＯＳ端末装置２との間でシリアル通信を行う際のボーレートなど、他の情報機器との間で有線通信部２２を介して行われる通信速度設定情報（通信設定情報）などが含まれる。
【００３５】
情報送信部３６は、プリンター３にＮＦＣ通信端末７が接近することにより無線通信部２３を介してＮＦＣ通信端末７とプリンター３とが通信可能となったときに、プリンター設定情報をＮＦＣ通信端末７の端末記憶部１３に書き出す情報送信動作を行う。すなわち、情報送信部３６は、ＮＦＣ通信端末７との間で通信が可能となると、設定情報記憶部２７に記憶保持されたプリンター設定情報をＮＦＣ通信端末７に送信する。ここで、ＮＦＣ通信端末７の端末制御部１１は、プリンター設定情報を受信すると、当該プリンター設定情報を端末記憶部１３に記憶保持する。
【００３６】
情報取得設定部３７は、プリンター３にＮＦＣ通信端末７が接近することにより無線通信部２３を介してＮＦＣ通信端末７とプリンター３とが通信可能となったときに、ＮＦＣ通信端末７からプリンター設定情報を読み取って自己の設定とする情報取得設定動作を行う。すなわち、情報取得設定部３７は、ＮＦＣ通信端末７との間で通信が可能となると、ＮＦＣ通信端末７に、端末記憶部１３に記憶保持されている情報を送信させる情報送信命令を送信する。ここで、ＮＦＣ通信端末７は、情報送信命令を受信すると端末記憶部１３に記憶保持されている情報（プリンター設定情報）を送信する。従って、情報取得設定部３７は、ＮＦＣ通信端末７から送信されたプリンター設定情報を受信して、設定情報記憶部２７に記憶保持する。その後、情報取得設定部３７はプリンター３をリセットして、設定情報記憶部２７に記憶保持されたプリンター設定情報をプリンター３に設定として反映させる。
【００３７】
動作モード切り替え部３８は、プリンター３の動作モードを、印刷制御部３１が印刷処理動作を行う印刷処理動作モード、情報送信動作を行う情報送信動作モード、および、情報取得設定動作を行う情報取得設定モードの間で排他的に切り替える。本例では、動作モード切り替え部３８は、印刷処理動作モードを通常の動作モードとしており、ＮＦＣ通信端末７とプリンター３との間の通信が可能となると、動作モードを情報送信動作モードまたは情報取得設定動作モードに切り替える。
【００３８】
また、動作モード切り替え部３８は、プリンター３がＮＦＣ通信端末７と通信可能となったときに切り替えて移行する動作モードを設定する移行動作モード設定部４０を備える。移行動作モード設定部４０は、操作パネル５からの入力に基づいて、ＮＦＣ通信端末７とプリンター３との間で通信が可能となったときに、動作モードを印刷処理動作モードから情報送信動作モードに移行するか、或いは、動作モードを印刷処理動作モードから情報取得設定動作モードに移行するかを設定する。
【００３９】
さらに、動作モード切り替え部３８は、情報送信動作モードにおいて情報送信部３６がプリンター設定情報を送信すると、ＮＦＣによる通信を終了して、動作モードを印刷処理動作モードに切り替える。また、動作モード切り替え部３８は、情報取得設定動作モードにおいて情報取得設定部３７がプリンター設定情報を受信すると、ＮＦＣによる通信を終了する。そして、動作モード切り替え部３８は、取得したプリンター設定情報を当該プリンター３の設定に反映すると、動作モードを印刷処理動作モードに切り替える。
【００４０】
（プリンターの設定動作）
図３を参照して複数台のプリンター３を設定する設定動作を説明する。図３はプリンター３の設定動作のフローチャートである。ＰＯＳシステム１を構成する複数のプリンター３に同一の設定が施される場合には、まず、特定のプリンター３（任意に選択した一つのプリンター３）に設定が施され、当該特定のプリンター３の設定情報記憶部２７にプリンター設定情報が記憶保持される（ステップＳＴ１）。その後、操作パネル５が操作され、プリンター３がＮＦＣ通信端末７と通信可能となったときに移行する動作モードが、情報送信動作モードに設定される（ステップＳＴ２）。なお、プリンター３の動作モードは、通常は、印刷処理動作モードとなっている。
【００４１】
次に、ユーザーによりＮＦＣ通信端末７が特定のプリンター３に接近され、ＮＦＣ通信端末７と特定のプリンター３との間の通信が可能になる（ステップＳＴ３）。これにより、プリンター３の動作モードは、ステップＳＴ２における設定に基づき、印刷処理動作モードから情報送信動作モードに移行する（ステップＳＴ４）。プリンター３の動作モードが情報送信動作モードに移行すると、プリンター３からＮＦＣ通信端末７にプリンター設定情報が送信される（ステップＳＴ５）。そして、送信されたプリンター設定情報はＮＦＣ通信端末７の端末記憶部１３に記憶保持される（ステップＳＴ６）。プリンター３からプリンター設定情報が送信されると、プリンター３の動作モードは印刷処理動作モードに移行し、情報送信動作モードが終了する（ステップＳＴ７）。
【００４２】
その後、特定のプリンター３とは異なる他のプリンター３の操作パネル５が操作され、他のプリンター３がＮＦＣ通信端末７と通信可能となったときに移行する動作モードが、情報取得設定動作モードに設定される（ステップＳＴ１１）。
【００４３】
次に、ユーザーによりＮＦＣ通信端末７が他のプリンター３に接近され、ＮＦＣ通信端末７と他のプリンター３との間の通信が可能になる（ステップＳＴ１２）。これにより、他のプリンター３の動作モードは、ステップＳＴ１１における設定に基づき、印刷処理動作モードから情報取得設定動作モードに移行する（ステップＳＴ１３）。他のプリンター３の動作モードが情報取得設定動作モードに移行すると、当該他のプリンター３はＮＦＣ通信端末７に情報送信命令を送信する。また、他のプリンター３は、情報送信命令に対する返信としてＮＦＣ通信端末７から送信されるプリンター設定情報を取得して、このプリンター設定情報を設定情報記憶部２７に記憶保持する。その後、他のプリンター３は自己をリセットしてプリンター設定情報を設定として反映する（ステップＳＴ１４）。他のプリンター３は、プリンター設定情報を自己の設定に反映すると、その動作モードが印刷処理動作モードに移行し、情報取得設定動作モードが終了する。（ステップＳＴ１５）。
【００４４】
その後、設定が必要なその他のプリンター３についても、ステップＳＴ１１からステップＳＴ１５の動作を繰り返す。これにより、複数台のプリンター３について、同一の設定を施すことができる。よって、複数台のプリンター３を設定する設定作業が軽減される。
【００４５】
なお、プリンター３とＮＦＣ通信端末を備えるプリンターセットを用いれば、１台のプリンター３の設定を一時的に変更して印刷処理動作を行った後に、元の設定に戻すことが容易となる。
【００４６】
すなわち、プリンター３の設定を一時的に変更して印刷処理動作を行う場合には、ユーザーは、プリンター３の設定を変更する前に、操作パネル５を操作して、プリンター３がＮＦＣ通信端末７と通信可能となったときに移行する動作モードを、情報送信動作モードに設定する。次に、ＮＦＣ通信端末７をプリンター３に接近させ、これにより、プリンター設定情報をＮＦＣ通信端末７の端末記憶部１３に記憶保持させる。その後、プリンター３の設定を変更して、印刷処理動作を行う。
【００４７】
そして、印刷処理動作が終了した後に、操作パネル５を操作して、プリンター３がＮＦＣ通信端末７と通信可能となったときに移行する動作モードを、情報取得設定動作モードに設定する。しかる後に、ＮＦＣ通信端末７をプリンター３に接近させる。これにより、ＮＦＣ通信端末７の端末記憶部１３に記憶保持されたプリンター設定情報をプリンター３に取得させ、プリンター３の設定を元に戻す。
【００４８】
（変形例）
動作モード切り替え部３８は、操作パネル５からの入力によって動作モードを情報送信動作モードとするものとすることができる。この場合、動作モード切り替え部３８は、プリンター３がＮＦＣ通信端末７と通信可能となったときに、動作モードを印刷処理動作モードから情報取得設定動作モードに移行するものとし、操作パネル５が操作された場合には、動作モードを情報送信動作モードとして、プリンター３がＮＦＣ通信端末７と通信可能となったときに情報取得設定動作を行うものとすることができる。図４は動作モード切り替え部３８をこのように構成した場合の変形例のプリンター３の設定動作のフローチャートである。
【００４９】
本例において、複数台のプリンター３に同一の設定が施される場合には、まず、特定のプリンター３（任意に選択した一つのプリンター３）に設定が施され、当該特定のプリンター３の設定情報記憶部２７にプリンター設定情報が記憶保持される（ステップＳＴ２１）。その後、操作パネル５が操作され、プリンター３の動作モードを、情報送信動作モードに移行させる（ステップＳＴ２２）。しかる後に、ユーザーにより、ＮＦＣ通信端末７を特定のプリンター３に接近され、ＮＦＣ通信端末７と特定のプリンター３との間の通信が可能にする（ステップＳＴ２３）。ここで、ＮＦＣ通信端末７と特定のプリンター３との間の通信が可能となると、プリンター３からＮＦＣ通信端末７にプリンター設定情報が送信され（ステップＳＴ２４）、プリンター設定情報はＮＦＣ通信端末７の端末記憶部１３に記憶保持される（ステップＳＴ２５）。プリンター３からプリンター設定情報が送信されると、プリンター３の動作モードが印刷処理動作モードに移行し、情報送信モードが終了する（ステップＳＴ６）。
【００５０】
その後、ユーザーにより、特定のプリンター３とは異なる他のプリンター３にＮＦＣ通信端末７が接近される（ステップＳＴ３１）。これにより、ＮＦＣ通信端末７と他のプリンター３との間の通信が可能となると、プリンター３の動作モードは印刷処理動作モードから情報取得設定動作モードに移行する（ステップＳＴ３２）。プリンター３が情報取得設定動作モードになると、プリンター３はＮＦＣ通信端末７に情報送信命令を送信し、その返信としてＮＦＣ通信端末７からプリンター設定情報を取得して、このプリンター設定情報を設定情報記憶部２７に記憶保持する。これにより、他のプリンター３はプリンター設定情報を設定として反映する（ステップＳＴ３４）。プリンター３は、プリンター設定情報を自己の設定に反映すると、その動作モードは印刷処理動作モードに移行し、情報取得設定動作モードが終了する（ステップＳＴ３５）。
【００５１】
なお、動作モード切り替え部３８は、操作パネル５からの入力によって動作モードを情報送信動作モードまたは情報所得設定動作モードのいずれかに移行するものとしてもよい。
【００５２】
（その他の実施の形態）
上記の例では、ＮＦＣによる通信を行うＮＦＣ通信端末７を用いてプリンター３を設定しているが、Ｂｌｕｅｔｏｏｔｈ、ＩＥＥＥ８０２．１１、ＩｒＤＡ、ＮＦＣなどの通信規格で通信を行う携帯端末を用いてプリンター３を設定してもよい。この場合には、無線通信部２３は、Ｂｌｕｅｔｏｏｔｈ、ＩＥＥＥ８０２．１１、ＩｒＤＡなどの通信規格で通信を行うものとすることができる。また、プリンター設定情報として、例えば、Ｂｌｕｅｔｏｏｔｈによる通信を行うためのペアリング情報などの通信設定情報を含むことができる。
【００５３】
上記の例では、各プリンター３は情報送信部３６と情報取得設定部３７の双方を備えるが、ＰＯＳシステム１を構成するプリンター３のうちの特定のプリンター（第１プリンター）２は情報送信部３６のみを備え、特定のプリンター３を除く他のプリンター（第２プリンター）３は情報取得設定部３７のみを備えるものとしてもよい。この場合には、特定のプリンター３にＮＦＣ通信端末７を接近させて特定のプリンター３のプリンター設定情報をＮＦＣ通信端末７に記憶保持した後に、他のプリンター３にＮＦＣ通信端末７を接近させて、ＮＦＣ通信端末７が記憶保持するプリンター設定情報を他のプリンター３に取得させて当該プリンター設定情報を他のプリンター３の設定に反映する。
【符号の説明】
【００５４】
１…ＰＯＳシステム、２…ＰＯＳ端末装置、３…プリンター、４…ネットワーク、５…操作パネル（操作部）、６…レシート、７…ＮＦＣ通信端末（携帯端末）、１１…端末制御部（制御部）、１２…端末通信部、１３…端末記憶部（記憶部）、２１…制御部、２２…第１通信部、２３…無線通信部（通信部）、２５…印刷ヘッド、２６…搬送モーター、２７…設定情報記憶部、３１…印刷制御部、３２…設定制御部、３５…情報設定部、３６…情報送信部、３７…情報取得設定部、３８…動作モード切り替え部、４０…移行動作モード設定部。
【図１】
2017061042.tif 000003
【図２】
2017061042.tif 000004
【図３】
2017061042.tif 000005
【図４】
2017061042.tif 000006